(57)【要約】【課題】１個の容器だけで、お気に入りの人気モデルと同じ、もしくはメーカーが推奨するのと同じ仕上がりでメークアップできるようにする化粧容器を得る。【解決手段】化粧容器１は、ＣＤケースのシェル２に嵌合するＣＤトレイとほぼ同等の外形輪郭を有する化粧容器トレイ３をシェル２に嵌合し、化粧容器トレイ３には、特定人気モデルが実際に使用している、もしくは化粧品メーカーが推奨する各種化粧品をそれぞれ収容する複数個の窪み４を設け、これら窪み４に、対応の種類の化粧品を詰め、ＣＤケースのシェル２には、メイク方法、特定人気モデルの、もしくは化粧品メーカーが推奨する写真等を記載した印刷シートもしくは冊子５を装着し、記載されたメイク方法に基づいて各窪みに収納した化粧品を使うことにより、その特定人気モデルと同一、もしくは化粧品メーカーが推奨する同一のメイクができるようにする。【選択図】図２
0003128663.tif 000002
【実用新案登録請求の範囲】
【請求項１】
化粧品を収納する化粧容器において、ＣＤケースのシェルに嵌合するＣＤトレイとほぼ同等の外形輪郭を有する化粧容器トレイを前記シェルに嵌合し、前記化粧容器トレイには、特定人気モデルが実際に使用している、もしくは化粧品メーカーが推奨する各種化粧品をそれぞれ収容する複数個の窪みを設け、これら窪みに、対応の種類の化粧品を詰め、ＣＤケースのシェルには、メイク方法、特定人気モデルの、もしくは化粧品メーカーが推奨する写真等を記載した印刷シートもしくは冊子を装着し、記載されたメイク方法に基づいて各窪みに収納した化粧品を使うことにより、その特定人気モデルと同一の、もしくは化粧品メーカーが推奨するのと同一のメイクができるようにしたことを特徴とする化粧容器。
【請求項２】
前記化粧容器トレイに、アプリケータ、ブラシ等の化粧に使用する化粧具を収容する窪みを設けた請求項１記載の化粧容器。
【請求項３】
複数の特定人気モデル毎に、その特定人気モデル仕様の各種化粧品および化粧具を対応の窪みに詰め、ＣＤケースのシェルにその特定人気モデルのメイク方法またはモデルの写真を記載した印刷シートもしくは冊子を装着した請求項１または２記載の化粧容器。
【請求項４】
ＣＤケースの蓋の内側に、フィルムミラーを設けた請求項１〜３のうちいずれか一項に記載の化粧容器。
【考案の詳細な説明】
【技術分野】
【０００１】
本考案は、化粧品を収納する化粧容器に関する。
【背景技術】
【０００２】
このような化粧容器としては、複数種類の化粧品（化粧料）、およびアプリケータまたはブラシをそれぞれ収納する複数個の窪みを設けたコンパクトな化粧容器は、数多く存在する。（例えば、特許文献１、特許文献２参照。）
【特許文献１】実公平７‐２６９６５号公報
【特許文献２】実用新案第３０７３３６３号公報
【考案の開示】
【考案が解決しようとする課題】
【０００３】
しかし、従来のこのような化粧容器は、それぞれ、単独、もしくは色合いの異なる複数の化粧品（化粧料）を詰めた下地用化粧容器、チーク用化粧容器、アイシャドー用化粧容器として個別に販売されていた。
【０００４】
また、メークアップ技術に関しては、これら種々の化粧容器を提供する化粧品メーカー販売員のアドバイスを参考にし、ユーザーが化粧容器に収納した化粧品を使い分けて、見様見真似でメークアップしているに過ぎず、化粧品ごとに多種の化粧容器を準備する必要があった。
【０００５】
本考案の課題は、お気に入りの人気モデルのような、またはメーカーが推奨する化粧をしたいと思う人のために、お気に入りの人気モデルが実際に使用している、もしくはメーカーが推奨する各種化粧品（化粧料）を１個の容器に取り揃え、説明書に基づいてメークアップすることにより、１個の容器だけで、お気に入りの人気モデルと同じ、もしくはメーカーが推奨するのと同じ仕上がりでメークアップできるようにする化粧容器を得るにある。
【課題を解決するための手段】
【０００６】
この課題を達成するため、本考案化粧容器は、ＣＤケースのシェルに嵌合するＣＤトレイとほぼ同等の外形輪郭を有する化粧容器トレイを前記シェルに嵌合し、前記化粧容器トレイには、特定人気モデルが実際に使用している、もしくは化粧品メーカーが推奨する各種化粧品をそれぞれ収容する複数個の窪みを設け、これら窪みに、対応の種類の化粧品を詰め、ＣＤケースのシェルには、メイク方法、特定人気モデルの、もしくは化粧品メーカーが推奨する写真等を記載した印刷シートもしくは冊子を装着し、記載されたメイク方法に基づいて各窪みに収納した化粧品を使うことにより、その特定人気モデルと同じ、もしくは化粧品メーカーが推奨するのと同じの仕上がりでメイクができるようにしたことを特徴とする。
【考案の効果】
【０００７】
本考案化粧容器によれば、このＣＤケースを利用した特定人気モデル仕様、もしくは化粧品メーカーが推奨する仕様の化粧容器を、１個だけ購入することにより、容器内の各種化粧品（化粧料）を使用し、メイク方法を記載した印刷シートもしくは冊子を読みつつ、メイクすることにより、人気特定モデル、もしくは化粧品メーカーが推奨するのと同じメークアップができる。
【考案を実施するための最良の形態】
【０００８】
本考案の好適な実施例においては、化粧容器トレイに、アプリケータ、ブラシ等の化粧に使用する化粧具を収容する窪みを設ける。
【０００９】
本考案の好適な実施例においては、複数の特定人気モデル毎に、その特定人気モデル仕様の各種化粧品および化粧具を対応の窪みに詰め、ＣＤケースのシェルにその特定人気モデルのメイク方法またはモデルの写真を記載した印刷シートもしくは冊子を装着する。
【００１０】
さらに、本考案の好適な実施例においては、ＣＤケースの蓋の内側に、フィルムミラーを設ける。
【００１１】
つぎに、本考案の好適な実施例を図面につき説明する。
【実施例】
【００１２】
本考案化粧容器１は、ＣＤケースのシェル２に嵌合するＣＤトレイとほぼ同等の外形輪郭を有する化粧容器トレイ３を、シェル２に嵌合する。化粧容器トレイ３には、特定人気モデルが実際に使用している、もしくは化粧品メーカーが推奨する各種化粧品をそれぞれ収容する複数個の窪み４ａ，４ｂ，４ｃ‐１，４ｃ‐２，４ｃ‐３等を設ける。
【００１３】
例えば、化粧容器トレイ３に設けた窪み４ａにはベース用化粧料、窪み４ｂにはチーク用化粧料、窪み４ｃ‐１〜４ｃ‐３にはアイライナー用、アイシャドー用化粧料等の化粧品を詰める。ＣＤケースのシェル２の蓋７には、メイク方法、またはモデルの写真等を記載した印刷シートもしくは冊子５を装着する。
【００１４】
本考案化粧容器１によれば、この印刷シートもしくは冊子に記載されたメイク方法に基づいて、これら化粧品を使うことにより、表紙シート５Ａを飾るその特定人気モデルと同じ、もしくは化粧品メーカーが推奨するのと同一のメイクができる。
【００１５】
さらに、化粧容器トレイ３に、アプリケータ、ブラシ等の化粧に使用する化粧具６を収容する窪み４ｄを設ける。さらに、図示しないが、他の化粧品、化粧具を収納する他の窪みを設けることができる。
【００１６】
さらに、ＣＤケースの蓋７の内側に、フィルムミラー８を設けておくと好適である。
【００１７】
本考案の好適な実施例においては、このようなＣＤケース利用の化粧容器を、複数の特定人気モデル毎に、その特定人気モデル仕様の各種化粧品および化粧具を対応の窪みに詰め、ＣＤケースのシェルにその特定人気モデルのメイク方法またはモデルの写真を記載した印刷シートもしくは冊子を装着して販売する。
【産業上の利用可能性】
【００１８】
本考案は、化粧品業界で、特定人気モデル仕様で、特定人気モデルと同じメイクができる触れ込みで、化粧品の販売促進が図れる。
【図面の簡単な説明】
【００１９】
【図１】本考案化粧容器の外観を示す斜視図である。
【図２】図１の化粧容器の蓋を開けた状態の斜視図である。
【符号の説明】
【００２０】
１  化粧容器
２  ＣＤケースのシェル
３  化粧容器トレイ
４  窪み
５  印刷シートもしくは冊子
５Ａ  表紙シート
６  化粧具
７  ＣＤケースの蓋
８  フィルムミラー
【図１】
0003128663.tif 000003
【図２】
0003128663.tif 000004